(57)【要約】      （修正有）【課題】  外出時に靴の中に使用し、屋内ではスリッパに差し込んで履きながら外反母趾を矯正し、又予防する為に健康具を靴敷に取り付けて使用し、又、スリッパ内の前方部に健康具を差込み、取り付けて使用したり、健康具を取り付けた靴敷を挿入して、外反母趾の矯正、予防に、スリッパ差込具に使用を提供するものである。【解決手段】  靴の中敷き、及びスリッパの差込み使用に当たっては、その中敷き及びスリッパの着用部に、柔軟で弾力性のある軟質の合成樹脂、ウレタンや弾力性ゴム等で製作された健康具を靴中敷きに接着させるが位置を定めて履くとほとんどずれる事無く、スリッパの場合はあしを滑りこませて、使用するためあらかじめボンド等の接着剤で取り付けて置くほうが良い。  外反母趾の足が左右のどちらが一方でも体の平均を保つように必ず左右一緒に使用する、健康具の形態は左右対称に作られる。【選択図】図１
2006326264.tif 000002
【特許請求の範囲】
【請求項１】
靴の中敷に外反母趾を矯正し、又、健康の為に弾力性のある素材に抗酸化溶液を混合した本発明の商品を靴中敷に接着した外反母趾用、及び健康用として使用する靴中敷用健康具
【請求項２】
スリッパの上部カバーの中、足差し込み部分に外反母趾を矯正、治し、又健康のために弾力性のある材料を使用した健康具を接着した外反母趾用・健康用のための差し込み具
【請求項３】
靴の中敷に、又はスリッパの差込具の中敷に外反母趾を治す、又は矯正する為の、特殊形状で弾力性のある軟質の合成樹脂（ウレタン樹脂）や適度の柔軟性と弾力性を有するゴム等の素材に抗酸化溶液（トルマリン・又はニーム）などを混合して作られた健康具を中敷に接着させて作られる１〜２記載のツボ押し、外反母趾用、又健康用の健康具
【請求項４】
形態としては、全体の縦の中央部が山形にして一番高くなり、指先方向（前方）は、横アーチ〔図６〕のように、山形の中央が、やや親指寄りとなり、親指下の骨に添わせる様に少しそらせた（逆の丸み）〔図９〕となり、山形を小指寄りには、やや丸みを持たせた傾斜で終わる。縦の中央部から後方にかけては土踏まずの上に乗るように、縦アーチ〔図１１〕のごとく穏やかな円形をなし、請求項１〜３記載のツボ押し外反母趾、健康具。
【請求項５】
足の親指下の骨の横並びを横アーチ型に浮かせて支え、従来足の平に入っていた力を、指の付け根を浮かせることで指先に力が入り、続けて土踏まずの位置まで縦アーチにゆるい山形に支える健康具で、弾力性のある軟質の合成樹脂（ウレタン樹脂）やゴム等の材質で抗酸化溶液配合により抗菌、脱臭効果加えた健康な足をつくるためのスリッパの中敷や、靴の中敷に接着させて使用するツボ押し、外反母趾用、健康用、の健康具。
【請求項６】
靴の中敷き、スリッパ差し込み用中敷き、外反母趾用、健康用の健康具は  その表面を全体に小さな突起を多数付ける方法もある請求項１〜５記載のツボ押し、外反母趾用、健康用の健康具
【発明の詳細な説明】
【技術分野】
【０００１】  本発明は、外反母趾を治す為、又健康のための機能を持った抗酸化溶液配合の靴中敷とスリッパ差込み用の健康具に関する物である。
【背景技術】
【０００２】  従来、靴を長時間履く事により、特に婦人用ヒールの高い靴を履く事で足の指が押し付けられ、足の平で歩くようになり指の力が弱まり、健康上良くない肩こりや腰痛の原因にもなっている。これらを解決する為に各種外反母趾治療器具もでまわり、知られている  ＊幅広の靴を履く事。＊五本指の間に挟みこむ。＊ゴム状の物で指を外側に引っ張る物  ＊足の平と土踏まずに別々に丸い平らな少しの厚みを持たせたもの。  ＊指つけ根や足の平らに突起物を配した物などがある、親指下の骨に沿わせて内側を山形にささえ、五本指を横アーチ型に浮かせて足の平に入っていた力を指先の力に変え、指先の力の強化を図り、指付け根の蒸れを防ぎ、続けて土踏まずの位置へ山形に縦アーチ型に支える型の商品は見当たらない。
例えば次のようなものがある。
特許第２６１６８４６号公報  特開平８−２９９０１６号公報等が公開されている。
【発明の開示】
【発明が解決しようとする課題】
【０００３】  それには次のような問題点があった。
（イ）ハイヒールの靴を履く事により足の指が押し付けられている。
（ロ）外出時は靴を履くのが通例であり履きながら治す物はあまりない。
（ハ）幅広い靴を履くと良いと云われるが、中々履きたがらない。
（ニ）スリッパを履きながら治すことが少ない。
（ホ）肩こりや腰痛が出ても外反母趾からと気が付かない。
（ヘ）靴の中敷やスリッパの差込み具で外反母趾や健康のために山形で土踏まずまで続いた健康具がはない。
本発明は、以上の問題点を解決するためのものである。
【課題を解決するための手段】
【０００４】  外反母趾は靴を履いた外出時、中敷に本発明の健康具を取り付け、又各所でスリッパ利用の時も増えた事で、スリッパに差し込んで使用する。尚、配合されている抗酸化溶液で健康の維持、足の乾燥にもよく、臭いもなくなる。
中敷用（１）、差込み用（２）それぞれの中敷に、柔軟で弾力性のある軟質合成樹脂及び弾力ゴム等の素材でＬ，Ｍ、の大きさを持つ健康具で足・親指下の骨の位置（Ａ）の内側に沿うように（Ａ′）が当たる本健康具は、足の平が持ち上げられ横アーチを描くように、指先に力が入るようになる。土踏まずの位置（Ｂ）に（Ｂ′）が山形、縦アーチを描くように上から当たる健康具。スリッパ差し込み用図（４）と靴中敷用、図（５）を作成し、外反母趾の矯正、健康用に、それぞれ用いる。
【発明の効果】
【０００５】外反母趾の防止、矯正、治療、など健康に留意するために、スリッパ使用時に差し込み具を使用し、靴使用時に、靴中敷き用を使用し、腰痛、肩こりの原因になる外反母趾を防ぎ、あしの半で歩くことを防止しゆびを和らげ、指先に力が入るようになり、矯正し、治す事に効果がある。  本発明は靴を履く多くの人々の、特に婦人でヒールの高いものを履く人達のために
【課題を解決するための最良の形態】
【０００６】    （イ）靴中敷用の（１）、差し込み用（２）を設ける。
（ロ）弾力ある軟質の合成樹脂、柔軟性、弾力性、なるゴムで形作られた（３）をもって作成した健康具を、親指側は、くぼみ（Ａ′）を親指下の骨（Ａ）の内側に沿わせて当たるように取り付け、中敷の端から約２ｃｍ程内よりになる。土踏まず（Ｂ）に、健康具（Ｂ′）が乗るように取り付ける。
（ハ）健康具（図３）を（図４）のスリッパ中敷用（２）に、上記（ロ）と同様に接着する。
（ニ）靴、中敷用、（５）の上に健康具、（図３）を中敷の内側、約２ｃｍ離して乗せつけ上記（ロ）と同様「親指下の骨の位置（Ａ）の内側に（Ａ′）を添わせ］靴中敷用となる健康具（図３）は左脚用で、靴中敷用、スリッパ差し込み用共同じであり、右足用は、左足用と対称になる。
（ホ）健康具は前面図に示すように親指下の骨の丸みが健康具（図３）のくぼみ（Ａ′）に内側から接し親指と次の指の付け根・足の平の位置が健康具、横アーチの先端の位置をしめ小指側に下がって横アーチを描く健康具下部の（Ｂ′）は土踏まず（Ｂ）の上に乗るようになる。
（ヘ）健康具は軟質の合成樹脂・柔軟性のあるゴムなどの素材に抗酸化溶液（トルマリン・ニーム）などを混合し、健康上、抗菌・脱臭・の効果を持たせる。
（ト）健康具は始めのうちは、スリッパ差し込見用具として足にならせ、違和感があっても、直になれてくるので靴中敷用として使用できるようになる。
（チ）健康具は、外反母趾の足が片方であっても、必ず両足使用するようにし身体の平均を保つようにすることが大事である。
【図面の簡単な説明】
【０００７】
【図１】靴中敷は靴にゆるみなく健康兵が安定する事が大切である。
【図２】靴中敷に於いて健康具の正しい位置
【図３】健康具・親指下の骨が当たる位置（Ａ’）と土踏まずの当たる位置（Ｂ’）
【図４】差し込み用スリッパ健康具
【図５】靴中敷用  健康具
【図６】横アーチを示す前面図
【図７】健康具の親指側から見た側面図（左足）
【図８】健康具の小指側から見た側面図（左足）
【図９】本発明の前面図
【図１０】本発明の後面図
【図１１】足側面図縦アーチを示す（左足）
【図１２】健康具に足を乗せる図  （左足）
【符号の説明】
【０００８】１  （Ａ）親指下の骨の位置
２  （Ａ’）健康具のくぼみ・親指下の骨の接する位置
３  （Ｂ）土踏まずの位置
４  （Ｂ’）土踏まずに健康具が当たる位置
５  靴・中敷
６  差し込み用・中敷
７  健康具
８  土踏まずの位置
【図１】
2006326264.tif 000003
【図２】
2006326264.tif 000004
【図３】
2006326264.tif 000005
【図４】
2006326264.tif 000006
【図５】
2006326264.tif 000007
【図６】
2006326264.tif 000008
【図７】
2006326264.tif 000009
【図８】
2006326264.tif 000010
【図９】
2006326264.tif 000011
【図１０】
2006326264.tif 000012
【図１１】
2006326264.tif 000013
【図１２】
2006326264.tif 000014
【手続補正書】
【提出日】平成18年3月15日(2006.3.15)
【手続補正１】
【補正対象書類名】特許請求の範囲
【補正対象項目名】全文
【補正方法】変更
【補正の内容】
【特許請求の範囲】
【請求項１】
靴の中敷に外反母趾を矯正する為に作った健康具は靴敷き型を小型化した形をし、立体の凸状をなし、親指を支える足根骨と、次の指を支える足根骨との間を下から押上げる作用で親指とその足根骨のよじれを治す健康具は、親指と次の指の付け根を先端にして、土踏まずまで続いて作り、親指と次の指の付け根から、その両指、足根骨の間に位置するツボと土踏まずに位置するツボを刺激してその効果が得られ、又、弾力性のある素材に抗酸化溶液を混合して作った靴中敷用健康具で、ツボ押し、外反母趾用、健康具。
【請求項２】
スリッパの上部、差し込み部分に、又、靴敷に外反母趾を矯正しながら治す健康具は両指の足根骨の間のツボの位置で、高さを約１．２ｃｍ〜約１．５ｃｍに保ち、親指から小指に掛けてアーチ型となし、又、その補強に、親指下の骨の丸みに健康具を添わせて、あわせる窪みをつけ、土踏まずに続く健康具は土踏まずのツボの位置でその高さを約１ｃｍとした靴中敷き用健康具で、ツボ押し、外反母趾、健康具
【請求項３】
靴の中敷きに、又はスリッパの差込みに外反母趾を治す、又は矯正する為の特殊形状で弾力性のある軟質の合成樹脂ウレタンや適度の柔軟性と弾力性を有するゴム等の素材に抗酸化溶液、トルマリン、ニーム、などを配合して作った健康具でツボ押し、外反母趾、健康具。
【請求項４】
健康具の形態は、靴敷きを小型化した形をし、立体の凸部をした山形で親指と次の指の付け根から両指の足根骨の間のツボを押上げるように高さを約１．２ｃｍ〜約１．５ｃｍに保ち、親指付け根から土踏まずのツボの位置まで緩やかな山形で続き、親指下の骨の位置では、健康具にその骨の丸みに沿わせた窪みを付けて、ずれを防ぎ補強し、山形の中央は親指と次の指の間で、その両指の足根骨の間に一番高く当たり、親指から小指方向へアーチ型にした、ツボ押し、外反母趾、健康具。
【請求項５】
親指下の骨の丸みに合わせて健康具に窪みを付けて補強し、親指付け根から小指付け根方向へ、アーチ型に健康具が指の付け根を押上げることで、指の付け根が浮き、指先に力が入る様になり、親指と、その足根骨のよじれや親指が次の指の下に入り込んでしまう外反母趾を徐々に改善し、矯正、予防、する健康具で、弾力性のある軟質のウレタン樹脂やゴム等の材質で抗酸化溶液、配合により、抗菌、脱臭、の効果を加えたツボ押し、外反母趾、健康具。
【請求項６】
靴の中敷き、スリッパ差込み用中敷き、外反母趾用、の健康具の表面全体に小さい突起を付けた請求項１〜請求項５記載のツボ押し、外反母趾、健康具。
【手続補正２】
【補正対象書類名】明細書
【補正対象項目名】全文
【補正方法】変更
【補正の内容】
【発明の詳細な説明】
【技術分野】
【０００１】  本発明は、親指によじれを起こし、重なったりして外反母趾になった足の矯正をし、予防し、又、外反母趾からなる腰痛や肩こりなどを徐々に治し、健康に保つ為に、本発明の健康具は親指と次の指の足根骨の間、足の裏第一のツボを押上げる機能を持たせたもので、親指下の太骨に添わせる様に健康具に窪みを付け、続いて土踏まずの第二のツボを押上げる形状とした、素材にウレタン樹脂を使用し、柔軟性を持たせ、抗酸化溶液、蘇生ＥＭセラミックスを配合して作られた本商品は、乾燥性、抗菌性、脱臭性を持ち、材質の強化も合わせ持つ新規性、進歩性のある健康具でツボ押し、外反母趾、健康具。
【背景技術】
【０００２】  従来、足に合わない靴を長い事履き、又婦人用のヒールの高い靴を履く事で、足の先が押し付けられ、足の平で歩く様になってしまい、指先に力が入らず、親指やその足根骨はよじれを起こし、親指が次の指の下に重なってしまい外反母趾を引き起こすが親指と次の指の付け根を健康具の先端にして、親指と次の指の足根骨の間を押上げる本商品は靴敷きに、スリッパに取り付け使用する事で、指の付け根や足の平に入っていた力が徐々に指先に移行し、重なっていた親指や足根骨のよじれも徐々に正常な位置に戻され、それに伴い腰痛や肩凝りも改善されるようになった。  その結果、度々おきていたギックリ腰も無くなり、本商品を付けるのに始めは多少の違和感も有るが慣れてくると靴やスリッパに取り付けていないと不安定感さえ感じるようになる。  既に知られている幅広の靴を履く事、５本指の間に挟みこむ物、足の平の第一のツボと土踏まずの第二のツボに当て物を取り付けた物、又は磁気などを配したものなど知られているが、親指の足根骨と次の指の足根骨の間を押上げ、よじれを治し、三次元的な形態の物は見当たらない。  たとえば、次の様なものはある。  特許大２６１６８４６号公報  特開平８−２９９０１６号公報  など公開されている。  オドイーター、アーチパットなどある。
【発明の開示】
【発明が解決しようとする課題】
【０００３】  それには次の様な問題点があった。（イ）ハイヒールの靴を長い事履き足の指が押し付けられている。（ロ）足に合わない靴を長い時間履いて足を変形させている。（ハ）幅の広い靴を履くと良いと言われても中々履きたがらない。（ニ）スリッパを履きながら治す事が少ない。（ホ）肩凝りや腰痛が出ても外反母趾からと気が付がない。（ヘ）靴の中敷きやスリッパの差込み具で外反母趾や健康の為に山形で土踏まずまで続いた健康はない。  本発明は、以上の問題点を解決する為のものである。
【課題を解決するための手段】
【０００４】  本発明のツボ押し、外反母趾、健康具は、靴を履いている外出時、又各処でスリッパを履きながら、使用するが親指と次の指の足根骨の間を押上げる事で足の平に力が入って歩いていたものが指先に力が入る様になり、親指やその足根骨のよじれを直し、土踏まずを押上げて、矯正し、治すことになる。  尚、使用する素材にウレタン樹脂を使用し、抗酸化溶液で健康の維持、足の乾燥にも良く、臭いもなくなる。  靴中敷き用、スリッパ差込用、それぞれの中敷きに柔軟で弾力性のある軟質の合成樹脂及び弾力ゴム等の素材で作った健康具で足の親指下の骨の位置に内側から骨の丸みに添わせるようにあたる本健康具は、足の平を押し上げられ、横アーチを描くように指先に力が入るようになる。  土踏まずの位置には山形縦アーチに押上げる健康具が当る様になり、スリッパ差込用、靴中敷き用、ツボ押し、外反母趾、健康具。
【発明の効果】
【０００５】  外反母趾の矯正、予防、治療、など健康に留意するために、スリッパ使用時に差し込んで使用し、靴使用時に靴中敷きに使用し、腰痛や肩凝りなど原因になる外反母趾を防ぎ、足の平で歩くことを防止し、指先に力が入るようになり強制し、治す事に効果がある本発明は靴を履き、外反母趾になった人々の、特に婦人でヒールの高い靴を履く人の健康改善のために作ったツボ押し、外反母趾、健康具。
【課題を解決する為の最良の形態】
【０００６】（イ）靴中敷き用の図２、スリッパ差込見ようの図１を設ける。（ロ）弾力性のある合成樹脂や、柔軟性、弾力性のあるゴム等の素材を使って作られた健康具を、親指側は、親指下の骨の当たる位置にくぼみをつけ、足と健康具が沿わせて当たる様に取り付け、健康具の先端を親指と次の指の付け根に当る様にし、後部は土踏まずに続き、健康具で足の裏を押上げられるようになる。（ハ）健康具はスリッパ中敷用に靴敷き用と同様に接着する。（ニ）靴、中敷き用の上に健康具の先端が、親指と次の指の付け根に当る様に取り付け、右足用は左足用と対称となる。（ホ）健康具の窪みは、親指下の骨の丸みが接して当る様になり、親指と次の指の付け根、足の平の位置が健康具の先端に位置する。（ヘ）健康具は軟質のウレタン樹脂や柔軟性のあるゴムなどの素材に抗酸化溶液、トルマリン、ニームなどを配合し、健康上、抗菌、脱臭、の効果を持たせる（ト）健康具は始めの内は、スリッパ差込用として足にならせ、始めのうち違和感があっても、直に慣れてくるので、靴中敷き用として使用する（チ）健康具は外反母趾の足が片方であっても必ず両足使用するようにし身体の平均を保つようにする事が大切である
【図面の簡単な説明】
【０００７】
【図１】親指と次の指の足根骨の位置の説明図。
【図２】健康具に足の乗る位置の説明図。
【図３】健康具、窪みの位置の説明図。
【図４】スリッパ差込用の説明図。
【図５】靴中敷き用の説明図。
【図６】健康具に足がのる前面図。
【図７】健康具を親指側からみた側面の説明図（左足）。
【図８】健康具を小指側から見た側面の説明図（左足）。
【図９】健康具を前面からみた説明図。
【図１０】健康具を後面から見た説明図。
【図１１】足側面図縦アーチを示した説明図。
【図１２】健康具に足を乗せる状態を示した説明図。
【符号の説明】
【０００８】１Ｆ        健康具の先端部２Ｇ        健康具の後方部３Ｃ〜Ｄ    健康部の上部横幅４Ｅ        健康部の窪みの部分５Ｂ        親指下の太骨６Ｄ        親指の足根骨７Ｄ，      次の指の足根骨８Ｃ        土踏まずの位置９Ａ，      健康具に乗る足の前面１０Ａ      健康具１１Ｈ      健康具の一番高いツボの位置１２Ｉ      スリッパ差込み
【手続補正３】
【補正対象書類名】図面
【補正対象項目名】全図
【補正方法】変更
【補正の内容】
【図１】
2006326264.tif 000015
【図２】
2006326264.tif 000016
【図３】
2006326264.tif 000017
【図４】
2006326264.tif 000018
【図５】
2006326264.tif 000019
【図６】
2006326264.tif 000020
【図７】
2006326264.tif 000021
【図８】
2006326264.tif 000022
【図９】
2006326264.tif 000023
【図１０】
2006326264.tif 000024
【図１１】
2006326264.tif 000025
【図１２】
2006326264.tif 000026